(57)【要約】      （修正有）【課題】外壁パネル間に形成される目地の止水性や気密性、耐震性を向上させるとともに、小口の強度低下を防ぎ、横目地に設置する目地シール材や目地ガスケット材の使用量を低減させる。【解決手段】パネル下部の小口に自重を受ける金具２を収納するための切り欠き加工部分を設け、外壁パネルの自重を受ける金具２を前記切り欠き加工部分に収納して、自重を受ける金具２を上下の外壁パネル１が形成する横目地５に突出することなく取り付けられる目地構造とする。【選択図】図２
2005213886.tif 000002
【特許請求の範囲】
【請求項１】
建築物の外壁を構成する外壁パネルであって、パネル下部の小口に自重を受ける金具を収納するための切り欠き加工部分を有することを特徴とする外壁パネル。
【請求項２】
前記パネル下部の小口の幅全長に渡って相じゃくり形状のための第１の切り欠き加工部分を有し、該第１の切り欠き加工部分に自重を受ける金具を収納するための第２の切り欠き加工部分を有することを特徴とする外壁パネル。
【請求項３】
前記自重を受ける金具を収納するための切り欠き加工部分が、小口の幅全長内に複数箇所設けられてなることを特徴とする請求項１または２記載の外壁パネル。
【請求項４】
請求項１〜３のうちいずれか１項記載の外壁パネルを用い、外壁パネルの自重を受ける金具を切り欠き加工部分に収納して、該自重を受ける金具が上下の外壁パネルが形成する横目地に突出することなく取り付けられて形成された外壁パネルの目地構造を有することを特徴とする外壁パネルの取付構造。
【発明の詳細な説明】
【技術分野】
【０００１】
本発明は、建築物の外壁を構成する外壁パネルの目地の水密性、気密性と外壁パネルの耐震性を向上させることを可能とする外壁パネルと目地構造に関するものである。
【背景技術】
【０００２】
建築物の外壁を構成する外壁パネルは外壁パネルの自重を受ける金具と風圧力、地震力などの外力を受ける金具とにより、建物の構造躯体に取り付けられる。
一般に外壁パネルの自重を受ける金具は、外壁パネルの下部の小口に沿って水平方向に取り付けられて鉛直方向に作用する外壁パネルの自重による荷重を支えている。この外壁パネルの自重を受ける金具は、上下に接して取り付けられた外壁パネルが形成する横目地の空間に突出している事が多い。この横目地には雨水の浸透を防止するため、目地シール材や目地ガスケット材を設置する（例えば、特許文献１参照。）。
さらに、建築物の外観悪化を防止するための目地ガスケット材やこれを使用した目地構造も提案されている（例えば、特許文献２参照。）。
これらの目地構造のように、自重を受ける金具が横目地の空間に突出していると、目地シール材や目地ガスケット材を設置する際に自重を受ける金具が支障となり、目地の水密性、気密性を低下させる場合がある。
【０００３】
例えば、図５に示す従来の外壁パネル２０の小口２１には、自重を受ける金具を収納する切り欠きは無い。この外壁パネル２０を使用した目地構造では図６に示すように、外壁パネル２０を建物の構造体に取り付けて形成される横目地５に外壁パネル２０の自重を受ける金具２が突出している。図において６は目地シール材、７，８は目地ガスケット材である。
また別の例として、外壁パネルの横目地に自重を受ける金具が突出しないように外壁パネルの小口を自重を受ける金具の厚さ寸法に合わせて外壁パネルの幅全長に渡って加工して切り欠くことも提案されている。例えば図７に示す外壁パネルの他の例では、外壁パネル３０の小口３１の幅全長に渡って切り欠き加工を施し、切り欠き３２を設けている。
この外壁パネル３０を使用して目地構造を構築する場合の１例としては、目地の断面構造を図８に示すように、対向する外壁パネルの小口にも逆形状の切り欠き１４を設け、相じゃくり形状として外壁を構成する。この場合にも外壁パネル３０，３０を建物の構造体に取り付けると横目地５が形成されるが、外壁パネルの自重を受ける金具２は外壁パネル３０の小口の切り欠き１３内に突出した目地構造となっている。
【特許文献１】特開２０００−１１０２６１号公報
【特許文献２】特開２０００−１９２５６１号公報
【発明の開示】
【発明が解決しようとする課題】
【０００４】
しかし、外壁パネルの小口を外壁パネルの幅全長に渡って切り欠き加工すると、外壁パネルの欠損部が増加するために外壁パネルの小口の強度を低下させることや、横目地に設置する目地シール材を多く必要とするなどの問題があった。
また、自重を受ける金具が横目地に突出している場合は外壁パネルの横目地の水密性や気密性、さらに耐震性を低下させるという問題がある。
また、外壁パネルは地震時に建物の変形に追従して損傷を受けることがないように可動式に取付けているが、外壁パネルが横目地の空間を上下に可動した場合、外壁パネルが上下に移動して外壁パネルの自重を受ける金具との隙間が少ないために外壁パネルの小口が自重を受ける金具に当って損傷することがあり、外壁パネルの耐震性を低下させる要因になっていた。
本発明は、上記問題を解決するためのものであり、外壁パネル間に形成される目地の水密性や気密性、また、外壁パネルの耐震性を向上させ、外壁パネルの小口の強度低下を防ぎ、横目地に設置する目地シール材の使用量を低減させることを目的としている。
【課題を解決するための手段】
【０００５】
本発明は、パネル下部の小口に自重を受ける金具を収納するための切り欠き加工部分を設けることにより上記課題を解決した。すなわち、本発明の外壁パネルは、建築物の外壁を構成する外壁パネルであって、パネル下部の小口に自重を受ける金具を収納するための切り欠き加工部分を有する外壁パネルとした。
本発明の外壁パネルでは、前記パネル下部の小口の幅全長に渡って相じゃくり形状のための第１の切り欠き加工部分を有し、該第１の切り欠き加工部分に自重を受ける金具を収納するための第２の切り欠き加工部分を有する外壁パネルとすることもできる。
また、本発明の外壁パネルでは、前記自重を受ける金具を収納するための切り欠き加工部分を小口の幅全長内に複数箇所設けた外壁パネルとすることができる。
【０００６】
本発明の外壁パネルの取付構造は、前記本発明の外壁パネルを使用し、外壁パネルの自重を受ける金具を前記切り欠き加工部分に収納して、該自重を受ける金具が上下の外壁パネルが形成する横目地内に突出することなく取り付けられて形成された外壁パネルの取付構造である。
外壁パネルの自重を受ける金具を、切り欠き加工を施された外壁パネルの小口に収納されるように取り付けることにより、外壁パネルにより形成される横目地には外壁パネルの自重を受ける金具が突出することが無くなり、横目地への目地シール材や目地ガスケット材の設置に支障が無くなるため水密性や気密性が向上し、地震時に外壁パネルが上下に移動しても外壁パネルが損傷することが無いため耐震性が向上する。
また、本発明においては、外壁パネルの自重を受ける金具を収納する部分のみを切り欠き加工するため、外壁パネルの小口の欠損部が減少するため強度低下を防ぐことができ、横目地に設置する目地シール材の使用量が減少する。
【発明の効果】
【０００７】
本発明によれば、外壁パネル間に形成される横目地に外壁パネルの自重を受ける金具が突出することが無く、目地シール材や目地ガスケット材を横目地に設置する際の支障とならないため、横目地の水密性、気密性を向上させることができる。
また、地震などで外壁パネルが上下に移動した場合に外壁パネルの小口が自重を受ける金具に当らないため、外壁パネルの耐震性を向上させることが出来る。
さらに、相じゃくり構造とするため外壁パネルの幅全長に渡って切り欠き加工する場合でも、外壁パネルの自重を受ける金具が横目地に突出することが無いので横目地の水密性や気密性が向上させることができる。また、横目地に設置する目地シール材や目地ガスケット材の使用量を低減することができる効果を有する。
【発明を実施するための最良の形態】
【０００８】
本発明における外壁パネルには、ＡＬＣ（軽量気泡コンクリート）パネル、ＰＣ外壁板、各種パネル、又はこれらと同様の機能を有するすべての外壁材が含まれ、外壁パネルの自重を受ける金具には鉄鋼、ステンレス鋼、チタン鋼など金属製の金具が全て含まれる。
また、切り欠き加工部分の寸法は、外壁パネルの自重を受ける金具の寸法に１〜２０ｍｍ程度を加えたものが適しているが、寸法を限定するものではなく自重を受ける金具の形状や寸法に合わせて切り欠き寸法を選択すれば良い。
【０００９】
図に基づいて本発明の実施形態を詳細に説明する。ただし、本発明は以下の実施形態に限定されるものではない。
（第１の実施形態）
本発明の第１の実施形態の外壁パネルに係わる小口形状の外観斜視図を図１に示す。
図１は本発明の外壁パネル１の外壁施工した場合に下側となる小口１１を斜視した図である。切り欠き加工部分１２は施工後に外壁パネル１０の内側となる面に設ける。この例では小口１１の全幅に対して、自重を受ける金具を収納するための切り欠き加工部分１２が２個設けられている例を示している。切り欠き加工部分１２の寸法は、自重を受ける金具の寸法に１〜１０ｍｍを加えたものとする。
【００１０】
図２に上記構造の外壁パネル１０を使用して施工した外壁パネルの目地構造の断面図を示す。このような外壁パネルを使用した目地構造においては、自重を受ける金具２は外壁パネル１により形成される横目地５には突出せず、自重を受ける金具２は外壁パネル１の小口１１に設けられた切り欠き加工部分１２に収納されている。従って、外壁パネル１０の小口１１は全厚さにわたって平坦な面を形成している。図において６は水滴の浸入を防止するための目地シール材であり、７および８は目地ガスケット材である。
【００１１】
このような構造の目地構造とすることにより、外壁パネル間に形成される横目地に外壁パネルの自重を受ける金具が突出することが無く、目地シール材や目地ガスケット材を横目地に設置する支障とならないため、横目地の水密性、気密性を向上させることができる。
また、地震などで外壁パネルが上下に移動した場合に外壁パネルの小口が自重を受ける金具に当らないため、外壁パネルの耐震性を向上させることが出来る。
【００１２】
（第２の実施形態）
第２の実施形態として外壁パネルを相じゃくり形状にして施工する例を示す。
図３は外壁パネル１０の小口２１を相じゃくり形状に加工した場合に、自重を受ける金具を収納する切り欠き２２を小口２１に設けた例である。
外壁パネル１０の小口２１の外壁施工した場合に下側となる小口２１には、幅全域にわたり相じゃくり形状にするための第１の切り欠き加工部分２２が設けられている。そして第１の切り欠き加工部分２２の一段引っ込んだ部分に、自重を受ける金具を収納するための切り欠き加工部分２３が２個設けられている。自重を受ける金具を収納するための切り欠き加工部分２３の寸法は、第１の実施形態の場合と同様に、自重を受ける金具の寸法に１〜１０ｍｍを加えたものとする。
【００１３】
図４に上記構造の外壁パネル１０を使用して施工した外壁パネルの目地構造の断面図を示す。このような外壁パネルを使用した目地構造においても、自重を受ける金具２は外壁パネル１０により形成される横目地５には突出せず、自重を受ける金具２は外壁パネル１０の第１の切り欠き加工部分２２に設けられた第２の切り欠き加工部分２３に収納されている。従って、外壁パネル１０の小口２１は相じゃくり形状をなして対峙しており、その全厚さにわたって平坦な面を形成している。図において６は水滴の浸入を防止するための目地シール材であり、７および８は目地ガスケット材である。
【００１４】
このような構造の目地構造とすることにより、外壁パネル間に形成される横目地に外壁パネルの自重を受ける金具が突出することが無く、目地シール材や目地ガスケット材を横目地に設置する支障とならないため、横目地の水密性、気密性を向上させることができる。また、上下の外壁パネルが相じゃくり形状をなして組み合わされているので、横目地の水密性、気密性を一層確実なものにしている。
また、地震などで外壁パネルが上下に移動した場合に外壁パネルの小口が自重を受ける金具に当らないため、外壁パネルの耐震性を向上させることが出来る。
さらに、横目地に設置する目地シール材や目地ガスケット材の使用量を低減することができる。
【産業上の利用可能性】
【００１５】
本発明によれば横目地の水密性、気密性が向上するばかりでなく、地震の際の耐震性を向上させ、目地シール材や目地ガスケット材の使用量を低減することができるのでパネル構造の外壁の耐久性を向上させ施工費用の削減に寄与する点がまことに大である。
【図面の簡単な説明】
【００１６】
【図１】本発明の第１の実施形態に係わる外壁パネルを示す外観斜視図である。
【図２】図１の外壁パネルを使用した外壁パネルの目地構造例を示す断面図である。
【図３】本発明の第２の実施形態に係わる外壁パネルを示す外観斜視図である。
【図４】図３の外壁パネルを使用した外壁パネルの目地構造例を示す断面図である。
【図５】従来の外壁パネルを示す外観斜視図である。
【図６】図５の外壁パネルを使用した従来の外壁パネルの目地構造例を示す断面図である。
【図７】従来の外壁パネルの他の例を示す外観斜視図である。
【図８】図７の外壁パネルを使用した従来の外壁パネルの目地構造例を示す断面図である。
【符号の説明】
【００１７】
１、１０、２０、３０      外壁パネル、
２                        自重を受ける金具、
５                        横目地、
６                        目地シール材、
７、８                    目地ガスケット材  
１１、２１、３１          小口、
１２、２２、２３          切り欠き加工部分、
１３、１４                切り欠き
【図１】
2005213886.tif 000003
【図２】
2005213886.tif 000004
【図３】
2005213886.tif 000005
【図４】
2005213886.tif 000006
【図５】
2005213886.tif 000007
【図６】
2005213886.tif 000008
【図７】
2005213886.tif 000009
【図８】
2005213886.tif 000010